【手続補正書】
【提出日】平成22年2月23日(2010.2.23)
【手続補正１】
【補正対象書類名】明細書
【補正対象項目名】特許請求の範囲
【補正方法】変更
【補正の内容】
【特許請求の範囲】
【請求項１】  ネットワークを介した電子コンテンツの売買取引が可能な売り手側の情報処理装置であって、
任意の電子コンテンツの購入を希望する買い手側の購入希望の電子コンテンツに関する情報を上記ネットワークを介して取得する取得手段と、
上記買い手側に対して、上記取得手段により得られた情報に対応する販売希望の電子コンテンツを上記ネットワークを介して提供する第１の提供手段とを備えることを特徴とする情報処理装置。
【請求項２】  上記第１の提供手段は、上記販売希望の電子コンテンツを暗号化して提供することを特徴とする請求項１記載の情報処理装置。
【請求項３】  上記第１の提供手段は、上記販売希望の電子コンテンツの査定結果に基づいて、上記販売希望の電子コンテンツを提供することを特徴とする請求項１記載の情報処理装置。
【請求項４】  上記販売希望の電子コンテンツの査定処理を、上記買い手側から上記ネットワークを介して提供されたソフトウェアによって実行する査定処理手段を備え、
上記第１の提供手段は、上記査定処理手段での査定結果に基づいて、上記販売希望の電子コンテンツを提供することを特徴とする請求項３記載の情報処理装置。
【請求項５】  上記販売希望の電子コンテンツを査定用の電子コンテンツへ変換する変換手段と、
上記買い手側に対して、上記変換手段により得られた査定用の電子コンテンツを上記ネットワークを介して提供する第２の提供手段とを備え、
上記第１の提供手段は、上記買い手側にて行われた上記査定用の電子コンテンツに対する査定の結果に基づいて、上記販売希望の電子コンテンツを提供することを特徴とする請求項３記載の情報処理装置。
【請求項６】  上記販売希望の電子コンテンツの査定処理を、上記買い手側から上記ネットワークを介して提供されたソフトウェアによって実行する査定処理手段と、
上記査定処理手段にて査定処理が正常終了したか否かに基づいて、上記販売希望の電子コンテンツを査定用の電子コンテンツへ変換する変換手段と、
上記買い手側に対して、上記変換手段により得られた査定用の電子コンテンツを上記ネットワークを介して提供する第２の提供手段とを備え、
上記第１の提供手段は、上記査定処理手段での査定結果、又は上記買い手側にて行われた上記査定用の電子コンテンツに対する査定の結果に基づいて、上記販売希望の電子コンテンツを提供することを特徴とする請求項３記載の情報処理装置。
【請求項７】  ネットワークを介した電子コンテンツの売買取引が可能な買い手側の情報処理装置であって、
上記ネットワーク上の任意のユーザに対して、購入希望する電子コンテンツに関する情報を上記ネットワークを介して提供する第１の提供手段と、
上記第１の提供手段による提供情報に対して上記任意のユーザから上記ネットワークを介して提供されてきた販売希望の電子コンテンツを取得する第１の取得手段とを備えることを特徴とする情報処理装置。
【請求項８】  上記任意のユーザに対して、上記販売希望の電子コンテンツを暗号化するための鍵情報を上記ネットワークを介して提供する第２の提供手段と、
上記鍵情報により暗号化された電子コンテンツを復号する復号手段とを備え、
上記第１の取得手段は、上記鍵情報を用いて上記任意のユーザ側で暗号化された上記販売希望の電子コンテンツを取得し、
上記復号手段は、上記第１の取得手段で得られた暗号化電子コンテンツを復号することを特徴とする請求項７記載の情報処理装置。
【請求項９】  上記任意のユーザに対して、当該ユーザが販売希望する電子コンテンツの査定を行うためのソフトウェアを上記ネットワークを介して提供する第３の提供手段を備え、
上記第１の取得手段は、上記任意のユーザ側での上記ソフトウェアによる上記販売希望の電子コンテンツの査定結果に基づき上記任意のユーザから提供されてきた上記販売希望の電子コンテンツを取得することを特徴とする請求項７記載の情報処理装置。
【請求項１０】  上記任意のユーザ側にて査定用の電子コンテンツに変換された上記販売希望の電子コンテンツを取得する第２の取得手段と、
上記任意のユーザに対して、上記査定用の電子コンテンツの査定結果を上記ネットワークを介して提供する第４の提供手段を備え、
上記第１の取得手段は、上記第４の提供手段での上記査定結果に基づき上記任意のユーザから提供されてきた上記販売希望の電子コンテンツを取得することを特徴とする請求項７記載の情報処理装置。
【請求項１１】  ネットワークを介した商品の売買取引が可能な情報処理装置であって、
少なくとも、売り手側が販売希望する商品に関する情報である販売情報、及び買い手側が購入希望する商品に関する情報である購入情報の何れかの情報を上記ネットワークを介して取得する取得手段と、
上記ネットワークを介して、上記取得手段により得られた販売情報又は購入情報に対して購入又は販売を応答する応答手段とを備えることを特徴とする情報処理装置。
【請求項１２】  上記取得手段は、上記ネットワーク上の商品売買の仲介側にて管理されている情報を取得し、
上記応答手段は、上記仲介側に対して応答することを特徴とする請求項１１記載の情報処理装置。
【請求項１３】  上記取得手段は、上記仲介側にて発生した商品売買の仲介に関する情報を上記ネットワークを介して取得することを特徴とする請求項１２記載の情報処理装置。
【請求項１４】  少なくとも売り手側の端末装置及び買い手側の端末装置を含む複数の機器がネットワークを介して互いに通信可能に接続されてなる電子商取引システムであって、
上記複数の機器のうち少なくとも１つの機器は、請求項１〜１３の何れかに記載の情報処理装置の機能を有することを特徴とする電子商取引システム。
【請求項１５】  売り手側と買い手側の間で電子コンテンツの売買取引をネットワークを介して行うための電子商取引システムであって、
情報取得閲覧ソフトウェアが起動可能な売り手側の端末装置と、
買い手側の端末装置と、
少なくとも上記買い手側が購入希望する電子コンテンツに関する情報、及び上記売り手側の個人情報の何れかの情報を管理し、上記売り手側の情報取得閲覧ソフトウェアからの要求に従ったデータファイルの送受信を行い、上記売り手側から送信されてくる電子コンテンツの受信用として上記買い手側に対して開放されたデータ格納領域を有し、上記買い手側が管理運営するサーバ装置と、
上記買い手側からの依頼により上記売り手側へ振込処理を行う金融機関側の端末装置と、
上記売り手側の端末装置、上記買い手側の端末装置、上記サーバ装置、及び上記金融機関側の端末装置を通信可能に接続するための通信ネットワークとを含むことを特徴とする電子商取引システム。
【請求項１６】  上記サーバ装置は、少なくともＨＴＴＰ（Ｈｙｐｅｒ  Ｔｅｘｔ  Ｔｒａｎｓｆｅｒ  Ｐｒｏｔｏｃｏｌ）サーバ、及びＦＴＰ（ＦｉｌｅＴｒａｎｓｆｅｒ  Ｐｒｏｔｏｃｏｌ）サーバの何れかのサーバ機能を有し、上記情報取得閲覧ソフトウェアからの要求に従ったサービスを実行して、その結果を所定のデータファイルとして返送すると共に、上記売り手側から送信されてくる電子コンテンツを受信することを特徴とする請求項１５記載の電子商取引システム。
【請求項１７】  売り手側と買い手側の間で任意の商品の売買取引をネットワークを介して行うための電子商取引システムであって、
情報取得閲覧ソフトウェアが起動可能な売り手側の端末装置と、
情報取得閲覧ソフトウェアが起動可能な買い手側の端末装置と、
商品売買の仲介者側の端末装置と、
上記仲介者側が管理運営するサーバ装置と、
少なくとも上記仲介者側からの依頼に従った商品の配送、及び当該商品の代金の受渡の何れかの処理を行う配送業者側と、
少なくとも、上記売り手側の端末装置、上記買い手側の端末装置、上記仲介者側の端末装置、上記サーバ装置、及び上記配送業者側の端末装置の何れかを通信可能に接続するための通信ネットワークとを含むことを特徴とする電子商取引システム。
【請求項１８】  上記サーバ装置は、少なくともＨＴＴＰ（Ｈｙｐｅｒ  Ｔｅｘｔ  Ｔｒａｎｓｆｅｒ  Ｐｒｏｔｏｃｏｌ）サーバ、及びＦＴＰ（ＦｉｌｅＴｒａｎｓｆｅｒ  Ｐｒｏｔｏｃｏｌ）サーバの何れかのサーバ機能を有し、上記情報取得閲覧ソフトウェアからの要求に従ったサービスを実行して、その結果を所定のデータファイルとして返送すると共に、電子メールサービスを提供し、商品売買仲介情報及び上記配送業者側の配送スケジュール情報を含む情報の格納及び更新を随時行うことを特徴とする請求項１７記載の電子商取引システム。
【請求項１９】  売り手側と買い手側の間で任意の商品の売買取引をネットワークを介して行うための電子商取引システムであって、
情報取得閲覧ソフトウェアが起動可能な売り手側の端末装置と、
情報取得閲覧ソフトウェアが起動可能な買い手側の端末装置と、
商品売買の仲介者側の端末装置と、
上記仲介者側が管理運営するサーバ装置と、
少なくとも、上記売り手側の端末装置、上記買い手側の端末装置、上記仲介者側の端末装置、及び上記サーバ装置の何れかを通信可能に接続するための通信ネットワークとを含むことを特徴とする電子商取引システム。
【請求項２０】  上記サーバ装置は、少なくともＨＴＴＰ（Ｈｙｐｅｒ  Ｔｅｘｔ  Ｔｒａｎｓｆｅｒ  Ｐｒｏｔｏｃｏｌ）サーバ、及びＦＴＰ（ＦｉｌｅＴｒａｎｓｆｅｒ  Ｐｒｏｔｏｃｏｌ）サーバの何れかのサーバ機能を有し、上記情報取得閲覧ソフトウェアからの要求に従ったサービスを実行して、その結果を所定のデータファイルとして返送すると共に、電子メールサービスを提供し、商品売買仲介情報を含む情報の格納及び更新を随時行うことを特徴とする請求項１９記載の電子商取引システム。
【請求項２１】  上記情報取得閲覧ソフトウェアは、ＷＷＷブラウザを含むことを特徴とする請求項１５、１７、及び１９の何れかに記載の電子商取引システム。
【請求項２２】  上記通信ネットワークは、インターネットを含むことを特徴とする請求項１５、１７、及び１９の何れかに記載の電子商取引システム。
【請求項２３】  売り手側と買い手側の間で電子コンテンツの売買取引をネットワークを介して行うための電子商取引方法であって、
上記売り手側が、情報取得閲覧ソフトウェアを用いて、上記買い手側が管理運営するサーバ装置にアクセスして会員登録をするステップと、
上記売り手側が、上記買い手側が購入希望している電子コンテンツに関する情報を含むデータファイルを上記買い手側のサーバ装置から取得し、当該データファイルを上記情報取得閲覧ソフトウェアを用いて表示するステップと、
上記売り手側が、本商取引に必要なソフトウェアを、上記買い手側のサーバ装置から取得するステップと、
上記売り手側が、上記買い手側へ提供する電子コンテンツに対して、上記本商取引に必要なソフトウェアに含まれるコンテンツ査定ソフトウェアを用いて査定処理するステップと、
上記売り手側が、上記買い手側へ提供する電子コンテンツを識別するためのコンテンツ番号、上記会員登録時の会員認証情報、及び上記査定処理の結果の少なくとも何れかの情報を上記買い手側へ送信するステップと、
上記買い手側が、上記査定処理の結果に基づいて、上記コンテンツ番号により示される対象電子コンテンツに対する査定価格、受付番号、暗号化の際に使用する鍵情報、及び対象電子コンテンツの送付先情報の少なくとも何れかの情報を上記売り手側へ送信するステップと、
上記売り手側が、上記査定価格に納得した場合、上記買い手側へ対象電子コンテンツを上記鍵情報を用いて暗号化して送信するステップと、
上記買い手側が、上記売り手側から送信されてきた対象電子コンテンツを確認後、金融機関へ上記ネットワーク経由で振込依頼することで、上記査定価格の金額を上記売り手側へ支払うステップとを含むことを特徴とする電子商取引方法。
【請求項２４】  上記本商取引に必要なソフトウェアは、上記コンテンツ査定ソフトウェア、及び暗号化ソフトウェアの少なくとも何れかを含むことを特徴とする請求項２３記載の電子商取引方法。
【請求項２５】  上記売り手側がコンテンツ査定ソフトウェアを用いて査定処理した結果の出力値が、上記売り手側が当該出力値から査定価格を推測することができないようにするための処理を実行するステップを含むことを特徴とする請求項２３記載の電子商取引方法。
【請求項２６】  上記出力値を暗号化するステップを含むことを特徴とする請求項２５記載の電子商取引方法。
【請求項２７】  売り手側と買い手側の間で電子コンテンツの売買取引をネットワークを介して行うための電子商取引方法であって、
上記売り手側が、情報取得閲覧ソフトウェアを用いて、上記買い手側が管理運営するサーバ装置にアクセスして会員登録をするステップと、
上記売り手側が、上記買い手側が購入希望している電子コンテンツに関する情報を含むデータファイルを上記買い手側のサーバ装置から取得し、当該データファイルを上記情報取得閲覧ソフトウェアを用いて表示するステップと、
上記売り手側が、本商取引に必要なソフトウェアを、上記買い手側のサーバ装置から取得するステップと、
上記売り手側が、上記本商取引に必要なソフトウェアに含まれるコンテンツ変換ソフトウェアを用いて、上記買い手側へ提供する電子コンテンツの品位を低下させ、当該品位を低下させた電子コンテンツを査定用の電子コンテンツとして上記買い手側へ送信するステップと、
上記買い手側のサーバ装置が、上記売り手側から送信されてきた電子コンテンツに対する受付番号を上記売り手側へ送信するステップと、
上記買い手側が、上記売り手側から送信されてきた査定用の電子コンテンツを査定するステップと、
上記買い手側が、上記査定の結果を上記受付番号と共に上記売り手側へ送信するステップと、
上記売り手側が、上記査定の結果に納得した場合、上記受付番号により示される対象電子コンテンツを暗号化して上記買い手側へ送信するステップと、
上記買い手側が、上記売り手側から送信されてきた対象電子コンテンツを確認後、金融機関へ上記ネットワーク経由で振込依頼することで、上記査定の結果により示される査定価格の金額を上記売り手側へ支払うステップとを含むことを特徴とする電子商取引方法。
【請求項２８】  上記本商取引に必要なソフトウェアは、上記コンテンツ変換ソフトウェア、及び暗号化ソフトウェアの少なくとも何れかを含むことを特徴とする請求項２７記載の電子商取引方法。
【請求項２９】  上記売り手側がコンテンツ変換ソフトウェアを用いて電子コンテンツの品位を低下する処理方法は、原理的に元の電子コンテンツを復元できないようになされた方法を含むことを特徴とする請求項２７記載の電子商取引方法。
【請求項３０】  売り手側と買い手側の間で電子コンテンツの売買取引をネットワークを介して行うための電子商取引方法であって、
上記売り手側が、情報取得閲覧ソフトウェアを用いて、上記買い手側が管理運営するサーバ装置にアクセスして会員登録をするステップと、
上記売り手側が、上記買い手側が購入希望している電子コンテンツに関する情報を含むデータファイルを上記買い手側のサーバ装置から取得し、当該データファイルを上記情報取得閲覧ソフトウェアを用いて表示するステップと、
上記売り手側が、本商取引に必要なソフトウェアを、上記買い手側のサーバ装置から取得するステップと、
上記売り手側が、上記買い手側へ提供する電子コンテンツに対して、上記本商取引に必要なソフトウェアに含まれるコンテンツ査定ソフトウェアを用いて自動査定処理するステップと、
上記自動査定処理が正常終了した場合の第１の処理ステップと、
上記自動査定処理が異常終了した場合の第２の処理ステップとを含み、
上記第１の処理ステップは、
上記売り手側が、上記買い手側へ提供する電子コンテンツを識別するためのコンテンツ番号、上記会員登録時の会員認証情報、及び上記自動査定処理の結果の少なくとも何れかの情報を上記買い手側へ送信するステップと、
上記買い手側が、上記自動査定処理の結果に基づいて、上記コンテンツ番号により示される対象電子コンテンツに対する査定価格、受付番号、暗号化の際に使用する鍵情報、及び対象電子コンテンツの送付先情報の少なくとも何れかの情報を上記売り手側へ送信するステップと、
上記売り手側が、上記査定価格に納得した場合、上記買い手側へ対象電子コンテンツを上記鍵情報を用いて暗号化して送信するステップと、
上記買い手側が、上記売り手側から送信されてきた対象電子コンテンツを確認後、金融機関へ上記ネットワーク経由で振込依頼することで、上記査定価格の金額を上記売り手側へ支払うステップとを含み、
上記第２の処理ステップは、
上記売り手側が、上記本商取引に必要なソフトウェアに含まれるコンテンツ変換ソフトウェアを用いて、上記買い手側へ提供する電子コンテンツの品位を低下させ、当該品位を低下させた電子コンテンツを査定用の電子コンテンツとして上記買い手側へ送信するステップと、
上記買い手側のサーバ装置が、上記売り手側から送信されてきた電子コンテンツに対する受付番号を上記売り手側へ送信するステップと、
上記買い手側が、上記売り手側から送信されてきた査定用の電子コンテンツを手動査定するステップと、
上記買い手側が、上記手動査定の結果を上記受付番号と共に上記売り手側へ送信するステップと、
上記売り手側が、上記手動査定の結果に納得した場合、上記受付番号により示される対象電子コンテンツを暗号化して上記買い手側へ送信するステップと、
上記買い手側が、上記売り手側から送信されてきた対象電子コンテンツを確認後、金融機関へ上記ネットワーク経由で振込依頼することで、上記手動査定の結果により示される査定価格の金額を上記売り手側へ支払うステップとを含むことを特徴とする電子商取引方法。
【請求項３１】  上記本商取引に必要なソフトウェアは、上記コンテンツ査定ソフトウェア、上記コンテンツ変換ソフトウェア、及び暗号化ソフトウェアの少なくとも何れかを含むことを特徴とする請求項３０記載の電子商取引方法。
【請求項３２】  上記売り手側がコンテンツ査定ソフトウェアを用いて自動査定処理した結果の出力値が、上記売り手側が当該出力値から査定価格を推測することができないようにするための処理を実行するステップを含むことを特徴とする請求項３０記載の電子商取引方法。
【請求項３３】  上記出力値を暗号化するステップを含むことを特徴とする請求項３２記載の電子商取引方法。
【請求項３４】  上記売り手側がコンテンツ変換ソフトウェアを用いて電子コンテンツの品位を低下する処理方法は、原理的に元の電子コンテンツを復元できないようになされた方法を含むことを特徴とする請求項３０記載の電子商取引方法。
【請求項３５】  上記暗号化の方式は、公開鍵暗号（ＲＳＡ）方式を含むことを特徴とする請求項２３、２７、及び３０の何れかに記載の電子商取引方法。
【請求項３６】  上記本商取引に必要なソフトウェアは、上記売り手側からダウンロードされ保存された後に実行されるようになされたソフトウェアを含むことを特徴とする請求項２３、２７、及び３０の何れかに記載の電子商取引方法。
【請求項３７】  上記本商取引に必要なソフトウェアは、上記売り手側の情報取得閲覧ソフトウェア上で実行され、保存が行われないようになされたソフトウェアを含むことを特徴とする請求項２３、２７、及び３０の何れかに記載の電子商取引方法。
【請求項３８】  上記会員登録の際に、上記売り手側が、自身の個人情報及び振込先情報の少なくとも何れかの情報を開示し、上記買い手側が、会員ＩＤ及びパスワード情報の少なくとも何れかを上記売り手側へ発行するステップを含むことを特徴とする請求項２３、２７、及び３０の何れかに記載の電子商取引方法。
【請求項３９】  上記買い手側が、対象電子コンテンツを限定するステップを含むことを特徴とする請求項２３、２７、及び３０の何れかに記載の電子商取引方法。
【請求項４０】  上記買い手側が購入希望している電子コンテンツに関する情報へ、上記買い手側が当該電子コンテンツを買い取る際の価格の上限及び下限の値を含ませるステップを含むことを特徴とする請求項２３、２７、及び３０の何れかに記載の電子商取引方法。
【請求項４１】  上記売り手側が、上記買い手側が提示した査定価格に納得できない場合、本商取引を終了するステップを含むことを特徴とする請求項２３、２７、及び３０の何れかに記載の電子商取引方法。
【請求項４２】  上記売り手側から上記買い手側への電子コンテンツの提供方法は、上記ネットワークを介した当該電子コンテンツの送信による方法、及び郵送による方法の少なくとも何れかの方法を含むことを特徴とする請求項２３、２７、及び３０の何れかに記載の電子商取引方法。
【請求項４３】  売り手側と買い手側の間で任意の商品の売買取引をネットワークを介して行うための電子商取引方法であって、
上記売り手側又は上記買い手側が、情報取得閲覧ソフトウェアを用いて、仲介者が管理運営するサーバ装置から売買情報一覧及び上記売り手側又は上記買い手側の個人情報を入力するフォームを有するデータファイルを取得して表示するステップと、
上記売り手側が販売希望する対象商品があり、当該商品に対して購入希望する上記買い手側がある場合の、上記仲介者側のサーバ装置が実行する処理ステップとして、
（ａ）上記売り手側に対して、少なくとも個人情報及び販売希望する対象商品を識別するための商品番号の何れかを上記フォームに対して入力させて送信させるステップと、
（ｂ）上記売り手側とのデータファイルの送受信により、対象商品の引取日時を決定するステップと、
（ｃ）上記買い手側に対して、上記引取日時と同日の引渡日時を通知するステップと、
（ｄ）商品の配送者側に対して、対象商品の配送を依頼するステップと、
（ｅ）上記売買情報を更新するステップとを含み、
上記売り手側が販売希望する対象商品があり、当該商品に対して購入希望する上記買い手側がない場合の、上記仲介者側のサーバ装置が実行する処理ステップとして、
（ｆ）上記売り手側に対して、少なくとも個人情報及び対象商品の詳細情報の何れかの情報上記フォームに入力させて送信させるステップと、
（ｇ）上記売り手側に対して、売り登録するか否かを確認するステップと、
（ｈ）上記売り手に対して、対象商品の引取可能日時を送信させるステップと、
（ｉ）上記売買情報の更新を行うステップとを含み、
上記買い手側が購入希望する対象商品があり、当該商品を販売希望する売り手側がある場合の、上記仲介者側のサーバ装置が実行する処理ステップとして、
（ｊ）上記買い手側に対して、少なくとも個人情報及び購入希望する対象商品を識別するための商品番号の何れかの情報を上記フォームに入力させて送信させるステップと、
（ｋ）上記買い手側とのデータファイルの送受信により、対象商品の引渡日時を決定するステップと、
（ｌ）上記売り手側に対して、上記引渡日時と同日の引取日時を通知するステップと、
（ｍ）商品の配送者側に対して、対象商品の配送を依頼するステップと、
（ｎ）上記売買情報を更新するステップとを含み、
上記買い手側が購入希望する対象商品があり、当該商品を販売希望する上記売り手側がいない場合の、上記仲介者側のサーバ装置が実行する処理ステップとして、
（ｏ）上記買い手側に対して、少なくとも個人情報及び購入希望する対象商品を識別するための商品番号の何れかの情報を上記フォームに入力させて送信させるステップと、
（ｐ）上記買い手側に対して、買い登録するか否かを確認するステップと、
（ｑ）上記買い手側に対して、対象商品の引渡可能日時を送信させるステップと、
（ｒ）上記売買情報の更新を行うステップとを含むことを特徴とする電子商取引方法。
【請求項４４】  上記売買情報一覧上に対して、少なくとも、上記買い手側に対して対象商品が実際に販売されるときの対象商品の価格ＣＰ、上記仲介者側が上記売り手側から対象商品を引き取るときの対象商品の価格ＭＰＳ、上記売り手側の対象商品の販売希望価格ＳＰ、及び上記仲介者側が上記買い手側へ対象商品を販売するときの対象商品の価格ＭＰＣの何れかを含ませるステップを含むことを特徴とする請求項４３記載の電子商取引方法。
【請求項４５】  「ＣＰ＞ＭＰＳ」且つ「ＳＰ＜ＭＰＣ」なる関係とするステップを含むことを特徴とする請求項４４記載の電子商取引方法。
【請求項４６】  売り手側と買い手側の間で任意の商品の売買取引をネットワークを介して行うための電子商取引方法であって、
上記売り手側又は上記買い手側が、情報取得閲覧ソフトウェアを用いて、仲介者が管理運営するサーバ装置から売買情報一覧及び上記売り手側又は上記買い手側の個人情報を入力するフォームを有するデータファイルを取得して表示するステップと、
上記仲介者側により限定された商品の中に、上記売り手側が販売希望する対象商品がある場合の、上記仲介者側のサーバ装置が実行する処理ステップとして、
（ａ）上記売り手側に対して、少なくとも個人情報及び販売希望する対象商品を識別するための商品番号の何れかを上記フォームに対して入力させて送信させるステップと、
（ｂ）上記売り手側とのデータファイルの送受信により、対象商品の引取日時を決定するステップと、
（ｃ）上記買い手側に対して、上記引取日時と同日の引渡日時を通知するステップと、
（ｄ）商品の配送者側に対して、対象商品の配送を依頼するステップと、
（ｅ）上記売買情報を更新するステップとを含み、
上記仲介者側により限定された商品の中に、上記買い手側が購入希望する商品がある場合の、上記仲介者側のサーバ装置が実行する処理ステップとして、
（ｆ）上記買い手側に対して、少なくとも個人情報及び購入希望する対象商品を識別するための商品番号の何れかの情報を上記フォームに入力させて送信させるステップと、
（ｇ）上記買い手側とのデータファイルの送受信により、対象商品の引渡日時を決定するステップと、
（ｈ）商品の配送者側に対して、対象商品の配送を依頼するステップと、
（ｉ）上記売買情報を更新するステップとを含み、
上記仲介者側により限定された商品の中に、上記買い手側が購入希望する商品がない場合の、上記仲介者側のサーバ装置が実行する処理ステップとして、
（ｊ）上記買い手側に対して、少なくとも個人情報及び購入希望する対象商品を識別するための商品番号の何れかの情報を上記フォームに入力させて送信させるステップと、
（ｋ）上記買い手側に対して、買い登録するか否かを確認するステップと、
（ｌ）上記買い手側に対して、対象商品の引渡可能日時を送信させるステップと、
（ｍ）上記売買情報の更新を行うステップとを含むことを特徴とする電子商取引方法。
【請求項４７】  上記売買情報一覧上に対して、少なくとも、上記買い手側に対して対象商品が実際に販売されるときの対象商品の価格ＣＰ、及び上記仲介者側が上記売り手側から対象商品を引き取るときの対象商品の価格ＭＰＳの何れかを含ませるステップを含むことを特徴とする請求項４６記載の電子商取引方法。
【請求項４８】  「ＣＰ＞ＭＰＳ」なる関係とするステップを含むことを特徴とする請求項４７記載の電子商取引方法。
【請求項４９】  上記配送者側が、上記売り手側から対象商品を引き取る際に所定の代金を上記売り手側へ支払うステップと、
上記仲介者側が、対象商品を購入希望する上記買い手側からクレジットカード決済により代金の徴収を行うステップとを含むことを特徴とする請求項４３又は４６記載の電子商取引方法。
【請求項５０】  上記仲介者側が、対象商品を販売希望する上記売り手側へ当該商品の代金の支払いを金融機関振込によって行うステップと、
上記仲介者側が、対象商品を購入希望する上記買い手側からクレジットカード決済により代金の徴収を行うステップとを含むことを特徴とする請求項４５又は４８記載の電子商取引方法。
【請求項５１】  上記配送者側が、上記売り手側から対象商品を引き取る際に第１の代金を上記売り手側へ支払うステップと、
上記配送者側が、上記買い手側へ対象商品を引き渡す際に第２の代金を徴収するステップと、
上記配送者側が、上記第１の代金と上記第２の代金の差額の利益を上記仲介者側へ渡すステップとを含むことを特徴とする請求項４３又は４６記載の電子商取引方法。
【請求項５２】  上記仲介者側が、対象商品が上記売り手側から上記買い手側へ配送された後に、当該商品の代金を上記買い手から金融機関振込によって徴収し、当該商品の代金を上記売り手側へ金融機関振込によって支払うステップを含むことを特徴とする請求項４３又は４６記載の電子商取引方法。
【請求項５３】  売り手側と買い手側の間で任意の商品の売買取引をネットワークを介して行うための電子商取引方法であって、
上記売り手側又は上記買い手側が、情報取得閲覧ソフトウェアを用いて、仲介者が管理運営するサーバ装置から売買情報一覧及び上記売り手側又は上記買い手側の個人情報を入力するフォームを有するデータファイルを取得して表示するステップと、
上記仲介者側により限定された商品の中に、上記売り手側が販売希望する対象商品があり、当該商品に対して購入希望する上記買い手側がある場合の、上記仲介者側のサーバ装置が実行する処理ステップとして、
（ａ）上記売り手側に対して、少なくとも個人情報及び販売希望する対象商品を識別するための商品番号の何れかを上記フォームに対して入力させて送信させるステップと、
（ｂ）上記売り手に対して、対象商品を上記仲介者側へ送付させるステップと、
（ｃ）上記買い手に対して、入荷報告をするステップと、
（ｄ）上記買い手に対して、支払い要求をするステップと、
（ｅ）上記売買情報を更新するステップとを含み、
上記仲介者側が実行する処理ステップとして、
（ｆ）上記売り手側から送付された対象商品が所望の商品であるかを確認するステップと、
（ｇ）上記売り手側へ対象商品の代金を支払うステップと、
（ｈ）上記買い手側からの入金を確認し、或いはクレジット決済の手続きをし、上記買い手側へ対象商品を送付するステップとを含み、
上記仲介者側により限定された商品の中に、上記売り手側が販売希望する対象商品があり、当該商品に対して購入希望する上記買い手側がいない場合の、上記仲介者側のサーバ装置が実行する処理ステップとして、
（ｉ）上記売り手側に対して、少なくとも個人情報及び販売希望する対象商品を識別するための商品番号の何れかを上記フォームに対して入力させて送信させるステップと、
（ｊ）上記売り手に対して、対象商品を上記仲介者側へ送付させるステップと、
（ｋ）上記売買情報を更新するステップとを含み、
上記仲介者側が実行する処理ステップとして、
（ｌ）上記売り手側から送付された対象商品が所望の商品であるかを確認するステップと、
（ｍ）上記売り手側へ対象商品の代金を支払うステップと、
上記仲介者側により限定された商品の中に、上記買い手側が購入希望する対象商品があり、当該商品が上記仲介者側に在庫としてある場合の、上記仲介者側のサーバ装置が実行する処理ステップとして、
（ｎ）上記買い手側に対して、少なくとも個人情報及び購入希望する対象商品を識別するための商品番号の何れかを上記フォームに対して入力させて送信させるステップと、
（ｏ）上記買い手に対して、支払い要求をするステップと、
（ｐ）上記売買情報を更新するステップとを含み、
上記仲介者側が実行する処理ステップとして、
（ｑ）上記買い手側からの入金を確認し、或いはクレジット決済の手続きをし、上記買い手側へ対象商品を送付するステップを含み、
上記仲介者側により限定された商品の中に、上記買い手側が購入希望する対象商品があり、当該商品が上記仲介者側に在庫としてない場合の、上記仲介者側のサーバ装置が実行する処理ステップとして、
（ｒ）上記買い手側に対して、少なくとも個人情報及び購入希望する対象商品に関する情報の何れかを上記フォームに対して入力させて送信させるステップと、
（ｓ）上記買い手側に対して、買い登録するかを確認するステップと、
（ｔ）上記買い手側に対して、対象商品の引取可能日時を送信させるステップと、
（ｕ）上記売買情報の更新を行うステップとを含むことを特徴とする電子商取引方法。
【請求項５４】  上記仲介者側が、対象商品を販売希望する上記売り手側へ当該商品の代金の支払いを金融機関振込によって行うステップと、
上記仲介者側が、対象商品を購入希望する上記買い手側からクレジットカード決済により代金の徴収を行うステップとを含むことを特徴とする請求項５３記載の電子商取引方法。
【請求項５５】  上記仲介者側が、対象商品を販売希望する上記売り手側へ当該商品の代金の支払、及び対象商品を購入希望する上記買い手側からの当該商品の代金の徴収を、金融機関振込によって行うステップを含むことを特徴とする請求項５３記載の電子商取引方法。
【請求項５６】  上記売買情報一覧上に対して、少なくとも、上記買い手側に対して対象商品が実際に販売されるときの対象商品の価格ＣＰ、及び上記仲介者側が上記売り手側から対象商品を引き取るときの対象商品の価格ＭＰＳの何れかを含ませるステップを含むことを特徴とする請求項５３記載の電子商取引方法。
【請求項５７】  「ＣＰ＞ＭＰＳ」なる関係とするステップを含むことを特徴とする請求項５６記載の電子商取引方法。
【請求項５８】  ネットワークを介した電子コンテンツの売買取引が可能な売り手側の情報処理装置を制御するためのプログラムを記録したコンピュータ読み取り可能な記録媒体であって、
任意の電子コンテンツの購入を希望する買い手側の購入希望の電子コンテンツに関する情報を上記ネットワークを介して取得する取得ステップと、
上記買い手側に対して、上記取得ステップにより得られた情報に対応する販売希望の電子コンテンツを上記ネットワークを介して提供する第１の提供ステップとをコンピュータに実行させるためのプログラムを記録したコンピュータ読み取り可能な記憶媒体。
【請求項５９】  ネットワークを介した電子コンテンツの売買取引が可能な買い手側の情報処理装置を制御するためのプログラムを記録したコンピュータ読み取り可能な記録媒体であって、
上記ネットワーク上の任意のユーザに対して、購入希望する電子コンテンツに関する情報を上記ネットワークを介して提供する第１の提供ステップと、
上記第１の提供ステップによる提供情報に対して上記任意のユーザから上記ネットワークを介して提供されてきた販売希望の電子コンテンツを取得する第１の取得ステップとをコンピュータに実行させるためのプログラムを記録したコンピュータ読み取り可能な記憶媒体。
【請求項６０】  ネットワークを介した商品の売買取引が可能な情報処理装置を制御するためのプログラムを記録したコンピュータ読み取り可能な記録媒体であって、
少なくとも、売り手側が販売希望する商品に関する情報である販売情報、及び買い手側が購入希望する商品に関する情報である購入情報の何れかの情報を上記ネットワークを介して取得する取得ステップと、
上記ネットワークを介して、上記取得ステップにより得られた販売情報又は購入情報に対して購入又は販売を応答する応答ステップとをコンピュータに実行させるためのプログラムを記録したコンピュータ読み取り可能な記憶媒体。
【手続補正２】
【補正対象書類名】明細書
【補正対象項目名】００７８
【補正方法】変更
【補正の内容】
【００７８】
第５３の発明は、売り手側と買い手側の間で任意の商品の売買取引をネットワークを介して行うための電子商取引方法であって、 上記売り手側又は上記買い手側が、情報取得閲覧ソフトウエアを用いて、仲介者が管理運営するサーバ装置から売買情報一覧及び上記売り手側又は上記買い手側の個人情報を入力するフォームを有するデータファイルを取得して表示するステップと、 上記仲介者側により限定された商品の中に、上記売り手側が販売希望する対象商品があり、当該商品に対して購入希望する上記買い手側がある場合の、上記仲介者側のサーバ装置が実行する処理ステップとして、（ａ）上記売り手側に対して、少なくとも個人情報及び販売希望する対象商品を識別するための商品番号の何れかを上記フォームに対して入力させて送信させるステップと、（ｂ）上記売り手に対して、対象商品を上記仲介者側へ送付させるステップと、（ｃ）上記買い手に対して、入荷報告をするステップと、（ｄ）上記買い手に対して、支払い要求をするステップと、（ｅ）上記売買情報を更新するステップとを含み、上記仲介者側が実行する処理ステップとして、（ｆ）上記売り手側から送付された対象商品が所望の商品であるかを確認するステップと、（ｇ）上記売り手側へ対象商品の代金を支払うステップと、（ｈ）上記買い手側からの入金を確認し、或いはクレジット決済の手続きをし、上記買い手側へ対象商品を送付するステップとを含み、上記仲介者側により限定された商品の中に、上記売り手側が販売希望する対象商品があり、当該商品に対して購入希望する上記買い手側がいない場合の、上記仲介者側のサーバ装置が実行する処理ステップとして、（ｉ）上記売り手側に対して、少なくとも個人情報及び販売希望する対象商品を識別するための商品番号の何れかを上記フォームに対して入力させて送信させるステップと、（ｊ）上記売り手に対して、対象商品を上記仲介者側へ送付させるステップと、（ｋ）上記売買情報を更新するステップとを含み、上記仲介者側が実行する処理ステップとして、（ｌ）上記売り手側から送付された対象商品が所望の商品であるかを確認するステップと、（ｍ）上記売り手側へ対象商品の代金を支払うステップと、上記仲介者側により限定された商品の中に、上記買い手側が購入希望する対象商品があり、当該商品が上記仲介者側に在庫としてある場合の、上記仲介者側のサーバ装置が実行する処理ステップとして、（ｎ）上記買い手側に対して、少なくとも個人情報及び購入希望する対象商品を識別するための商品番号の何れかを上記フォームに対して入力させて送信させるステップと、（ｏ）上記買い手に対して、支払い要求をするステップと、（ｐ）上記売買情報を更新するステップとを含み、上記仲介者側が実行する処理ステップとして、（ｑ）上記買い手側からの入金を確認し、或いはクレジット決済の手続きをし、上記買い手側へ対象商品を送付するステップを含み、 上記仲介者側により限定された商品の中に、上記買い手側が購入希望する対象商品があり、当該商品が上記仲介者側に在庫としてない場合の、上記仲介者側のサーバ装置が実行する処理ステップとして、（ｒ）上記買い手側に対して、少なくとも個人情報及び購入希望する対象商品に関する情報の何れかを上記フォームに対して入力させて送信させるステップと、（ｓ）上記買い手側に対して、買い登録するかを確認するステップと、（ｔ）上記買い手側に対して、対象商品の引取可能日時を送信させるステップと、（ｕ）上記売買情報の更新を行うステップとを含むことを特徴とする。
【手続補正３】
【補正対象書類名】明細書
【補正対象項目名】００８３
【補正方法】変更
【補正の内容】
【００８３】
第５８の発明は、ネットワークを介した電子コンテンツの売買取引が可能な売り手側の情報処理装置を制御するためのプログラムを記録したコンピュータ読み取り可能な記録媒体であって、任意の電子コンテンツの購入を希望する買い手側の購入希望の電子コンテンツに関する情報を上記ネットワークを介して取得する取得ステップと、上記買い手側に対して、上記取得ステップにより得られた情報に対応する販売希望の電子コンテンツを上記ネットワークを介して提供する第１の提供ステップとをコンピュータに実行させるためのプログラムを記録したコンピュータ読み取り可能な記憶媒体である。